(57)【要約】【課題】滑り落ちることのない、また襠を必要としない、体型に副ったフート・ウェアと、そのための丸編機による逆編みの編成方法を提供する。【解決手段】筒状編地１１が下部に編み始め端を有するフート・ウェアであって、該筒状編地１１の下部１４ａより上部の編目１４ｂを多くした筒状編地と、また、フート・ウェアからなる筒状編地１１の編成方法において、丸編機を使用し該筒状編地１１は下部より逆に編み始めて上部に編成ａし、該下部の作用針数より上部の作用針数を増やすようにした筒状編地の編成方法を構成するものである。【選択図】　　　図２
2004027459.tif 000002
【特許請求の範囲】
【請求項１】
筒状編地が下部に編み始め端を有するフート・ウェアであって、該筒状編地の下部より上部の編目を多くしたことを特徴とする筒状編地。
【請求項２】
フート・ウェアからなる筒状編地の編成方法において、丸編機を使用し、該筒状編地は下部より逆に編み始めて上部に編成し、該下部の作用針数より上部の作用針数を増やすようにしたことを特徴とする筒状編地の編成方法。
【請求項３】
フート・ウェアが、短靴下、ハイソックス、オーバーニー、ストッキング、タイツである請求項１または２記載の筒状編地。
【発明の詳細な説明】
【０００１】
【発明の属する技術分野】
本発明は、靴下等のフート・ウェアからなる筒状編地と、その編成方法に関するものである。
【０００２】
【従来の技術】
人体の体型は、部位によって異なるので一定ではない。例えば下肢（足）の場合、下部の足首の径は細く、膨ら脛にかけて広がっており、上部の腿は非常に太くなっている。
【０００３】
従って靴下は、細い下部の方へと滑り落ちやすく、そのためこれへの対策が従来から種々講じられている。その方法の一つとして、上部の締付部を強くするのが一般的である。然し締め付けのきつい靴下は、履き心地が悪く、これが靴下の最大の欠点となっている。
【０００４】
そのため本発明者等の会社は、靴下を意匠登録第１０９７７８６号に示すように、口ゴム部を長く、緩やかな締め付け組織のものにした。そしてその形状を、足の形に副うよう上部の太い逆テーパー状の靴下にし、しかも滑り落ちることのない、また履き心地のよい靴下を生産するようにしている。然し編地のテーパーは、度目の調整によっていたので、針数と編目は上下とも同一であり、これには限界があった。
【０００５】
一方タイツ等は、上下を同一編目にすると、度目の調節だけでは大変窮屈なものとなってしまう。そのため従来のタイツは、襠を入れて体型に合わせる必要があった。
【０００６】
この編目を変更するには、編針を不作用位置からニット位置へと変更させる必要がある。これは編機の移し上げカムやジャックによる方法でなされるもので、従来から柄編には使用されていた。然し靴下等のフート・ウェアに対して、編機の針数を増減して編目を変更するという編成方法は、従来その例をみなかった。
【０００７】
編機の針数増減の先行技術としては、特開平９−２５６２４８号がある。然しこれは、編地に起伏を形成させるためのものであって、しかも横編機に関するものであり，丸編機による編成方法ではなかった。
【０００８】
本発明のフート・ウェアは、編目を下部よりは上部を多くしたい。けれども丸編機の場合には、針数を少ない位置から目数を増やす必要がある。それは、太い方から目数を減らすと、メリヤス編が目落ちして製品にならないからである。そのため、丸編機によるメリヤス編の編目は、途中で増やしても減らすことはできない。然し靴下等は、耳をつける必要から、口ゴム部から編成するのが一般的である。従って、本発明のフート・ウェアは、靴下の場合なら爪先部より、逆に編成する必要が生じてくる。
【０００９】
この逆編みの先行技術としては、特開平１１−１８１６０２号がある。然しこれはパール編による滑り止め靴下であり、而も横編機に関するものであって、丸編機による編成方法ではなかった。
【００１０】
【発明が解決しようとする課題】
叙上の事情に鑑み本発明は、滑り落ちることのない、また襠を必要としない、体型に副ったフート・ウェアと、そのための丸編機による逆編みの編成方法を課題とする。
【００１１】
【課題を解決するための手段】
本発明は、筒状編地が下部に編み始め端を有するフート・ウェアであって、該筒状編地の下部より上部の編目を多くした筒状編地を構成するものである。
【００１２】
また本発明は、フート・ウェアからなる筒状編地の編成方法において、丸編機を使用し、該筒状編地は下部より逆に編み始めて上部に編成し、該下部の作用針数より上部の作用針数を増やすようにした筒状編地の編成方法を構成するものである。
【００１３】
【発明の実施の形態】
本発明でいう筒状編地とは、横編機で編成されたものを除く、丸編機にて編成された筒状の編地のことである。そして本発明でいう編地とは、フート・ウェアに関するものである。またこのフート・ウェアとは、短靴下、ハイソックス、オーバーニー、ストッキング、タイツ等からなる足を覆う衣料である。
【００１４】
以下本発明を、図面に基づいて詳細に説明する。図１は、本発明の靴下からなる筒状編地の一部切欠拡大断面を含む平面図である。図２は、本発明の編目の異なる筒状編地と、編目の少ない方から編成することを示した組織図である。図３は、編目の形成過程を説明するためのカムの展開図である。図４は、針数の増減方法を説明するためのカムの展開図で、（イ）は作用針数の少ない場合、（ロ）は作用針数の多い場合である。
【００１５】
本発明の靴下からなるフート・ウェアの筒状編地１は、靴下用丸編機を使用して、爪先部２より逆に編成される。爪先部２は、本実施例の場合、従来と同じ方法でリンキングにて縫合される。一方、編み終わりとなる口ゴム部３は、折り返して縫製′される。
【００１６】
そして本発明の筒状編地の靴下１は、下部の足甲部の編目４ａより、上部の身部の編目４ｂを多くしている。本実施例の場合は、下部の編目４ａを１００本の作用針数で編成し、上部の編目４ｂは、２００本の作用針数で編成している。
【００１７】
図２において、下の少ない編目１４ａに対し、上の多い編目１４ｂは、２倍の目数になっている。然し本発明の編地１１は、度目Ｄ１０，Ｄ１１，Ｄ１２が同一である。そして仮に、上の多い編目１４ｂの方から、針数を減少させようとすれば、破線で示した編糸Ｙ１０のように、浮き糸になって目落ちしてしまう。従って本発明の編地１１は、下の少ない編目１４ａの方から、上の矢印ａの方向へと編成される。
【００１８】
図３には、編目２４…２４の形成過程を示している。編針（ニードル）２５…２５が矢印Ａの方向に進行し、右度山２６ａに昇る。次にニードル２５…２５は上部センターカム２７と、左度山２６ｂで下げられる。この時、ニューループとなる糸２８が供給され、ニードル２５…２５が左度山２６ｂの最下点で、ループの編目２４…２４が形成される。即ち、編目２４…２４を形成させるためには、ニードル２５…２５が右度山２６ａの上部を昇る必要がある。
【００１９】
図４に、針数の増やす方法を示している。作用針数の少ない最初の（イ）の場合の第１コースは、ジャック（図示せず）によりニードル３５が１本置きに振り分けられ、低レベルのニードル３５ａは、移し分割カム３９によってウェルト・レベルＷ３０を通り、ジャックによって上ったニードル３５ｃはクリヤー・レベルＣ３０を通って、右度山３６ａの上部を過ぎて、左度山３６ｂによりニードル３５ｃは１本置きのループを作ることになる。なお図示を省略したジャックは、ニードルの下部にあって、上下の傾斜状に刻設されたシリンダの溝内にあって摺動して、ニードルを上下させるノブである。
【００２０】
これに対し作用針数を多く変更した（ロ）の第２コースは、移し上げカム４０が作用し、移し分割カム４９で下げられたニードル４５ｂを、タック・レベルＴ４０に上げ、さらに右度山４６ａの上部でクリヤー・レベルＣ４０を通るので、全部のニードル４５ｂが左度山４６ｃによりループを作ることになって、作用針数が増えることになる。
【００２１】
図４は、本発明のタイツからなる筒状編地の一部切欠拡大断面を含む斜視図である。
【００２２】
本発明のタイツからなるフート・ウェアの筒状編地５１は、丸編機を使用して裾部５２より逆に編成される。一方、編み終わりとなる口ゴム部５３は、縫製５３′によって取り付けられる。
【００２３】
そして本発明の筒状編地のタイツ５１は、下部の膨ら脛部の編目５４ａより、中間の腿部の編目５４ｂを多くし、さらに上部の腰部の編目５４ｃを最も多くしている。本実施例の場合は、下部の膨ら脛部の編目５４ａを１２０本の作用針数で編成し、中間の腿部の編目５４ｂを１８０本の作用針数で編成して、上部の腰部の編目５４ｃは、２４０本の作用針数で編成している。
【００２４】
【発明の効果】
本発明の編成方法による靴下は、体型に副った履き心地のよいものとなっており、滑り落ちる欠点は解消された。
【００２５】
本発明の編成方法によるタイツは、体型に副った着心地のよいものとなっており、襠を設ける必要がなく、工程を簡略化することができた。
【図面の簡単な説明】
【図１】本発明の靴下からなる筒状編地の一部切欠拡大断面を含む平面図である。
【図２】本発明の編目の異なる筒状編地と、編目の少ない方から編成することを示した組織図である。
【図３】編目の形成過程を説明するためのカムの展開図である。
【図４】針数の増減方法を説明するためのカムの展開図で、（イ）は作用針数の少ない場合、（ロ）は作用針数の多い場合である。
【図５】本発明のタイツからなる筒状編地の一部切欠拡大断面を含む斜視図である。
【符号の説明】
１　　　　　　　　　　　靴下からなるフート・ウェアの筒状編地
１１　　　　　　　　　　本発明の編地
５１　　　　　　　　　　タイツからなるフート・ウェアの筒状編地
２　　　　　　　　　　　靴下の爪先部
５２　　　　　　　　　　タイツの裾部
３　　　　　　　　　　　靴下の口ゴム部
５３　　　　　　　　　　タイツの口ゴム部
３′，５３′　　　　　　口ゴム部の縫製箇所
４ａ　　　　　　　　　　靴下下部の足甲部の少ない編目
１４ａ　　　　　　　　　本発明の編地の少ない編目
５４ａ　　　　　　　　　タイツ下部の膨ら脛部の少ない編目
４ｂ　　　　　　　　　　靴下上部の身部の多い編目
１４ｂ　　　　　　　　　本発明の編地の多い編目
５４ｂ　　　　　　　　　タイツ中間部の腿部の幾分多い編目
５４ｃ　　　　　　　　　タイツ上部の腰部の最も多い編目
２４　　　　　　　　　　編目（ループ）
２５，３５　　　　　　　編針（ニードル）
３５ａ　　　　　　　　　低レベルのニードル
４５ｂ　　　　　　　　　タック・レベルのニードル
３５ｃ，４５ｃ　　　　　クリヤー・レベルのニードル
２６ａ，３６ａ，４６ａ　右度山
２６ｂ，３６ｂ，４６ｂ　左度山
２７　　　　　　　　　　上部センターカム
２８　　　　　　　　　　ニューループの糸
３９，４９　　　　　　　移し分割カム
４０　　　　　　　　　　移し上げカム
ａ　　　　　　　　　　　編成方向
Ａ　　　　　　　　　　　ニードルの進行方向
Ｃ３０，Ｃ４０　　　　　クリヤー・レベル
Ｄ１０，Ｄ１１，Ｄ１２　度目
Ｔ４０　　　　　　　　　タック・レベル
Ｗ３０　　　　　　　　　ウェルト・レベル
Ｙ１０　　　　　　　　　目落ちする編糸
【図１】
2004027459.tif 000003
【図２】
2004027459.tif 000004
【図３】
2004027459.tif 000005
【図４】
2004027459.tif 000006
【図５】
2004027459.tif 000007